(57)【要約】【課題】使用者のスイングの癖を修正するのに、本人の勘、フォームに頼らず、ゴルフクラブの重心の位置を若干、調整可能とすることにより、ボールを所望とする方向に飛ばすことを可能にし、さらに美観にも優れたゴルフクラブヘッドを提供する。【解決手段】本発明のゴルフクラブヘッドは、シャフトの先端に支持され、ボールを打撃するゴルフクラブヘッド本体に、錘を収容するための凹部を設け、この凹部に選択的に錘を装填することにより、ヘッド本体の重心の位置を微調整しうるようにしたことを特徴とする。【選択図】  図１
2004159680.tif 000002
【特許請求の範囲】
【請求項１】
シャフトの先端に支持され、ボールを打撃するヘッド本体に、錘を収容するための凹部を設け、この凹部に選択的に錘を装填することにより、ヘッド本体の重心の位置を微調整しうるようにしたことを特徴とするゴルフクラブヘッド。
【請求項２】
前記凹部は、前記ヘッド本体の打撃面の反対側から、打撃面に向かって略水平方向に形成されていることを特徴とする請求項１に記載のゴルフクラブヘッド。
【請求項３】
前記凹部は、前記ヘッド本体の底面から上方に向かって形成されていることを特徴とする請求項１に記載のゴルフクラブヘッド。
【請求項４】
前記凹部は、前記ヘッド本体の少なくとも２ヶ所に形成されていることを特徴とする請求項１〜３のいずれかに記載のゴルフクラブヘッド。
【請求項５】
前記凹部は、前記ヘッド本体の打撃面と略平行に形成されていることを特徴とする請求項１に記載のゴルフクラブヘッド。
【請求項６】
請求項１〜５のいずれかに記載のゴルフクラブヘッドの凹部の少なくとも１ケ所に、錘または、錘と錘の収容位置を調整するのに用いられる緩衝材とが装填され、さらに該装填された凹部の開口が封止されていることを特徴とするゴルフクラブヘッド。
【請求項７】
前記錘は、金属製の錘であることを特徴とする請求項６に記載のゴルフクラブヘッド。
【請求項８】
前記錘は、金属粒子であることを特徴とする請求項７に記載のゴルフクラブヘッド。
【請求項９】
前記金属は、鉛またはタングステンであることを特徴とする請求項７または８に記載のゴルフクラブヘッド。
【請求項１０】
前記緩衝材は、コルクであることを特徴とする請求項６に記載のゴルフクラブヘッド。
【発明の詳細な説明】
【０００１】
【発明の属する技術分野】
本発明は、ゴルフクラブヘッドに関し、例えば、使用者がシャフトを握って勢い良く振り抜いたときに、ボールの飛ぶ方向を一定に定めるように、使用者の癖に合わせて重心位置を微調整することが可能なゴルフクラブヘッドに関するものである。
【０００２】
【発明の技術的背景】
近年、女性から年配の人に至るまで、手軽に楽しめるスポーツとして、ゴルフが盛んに行なわれている。
このようなゴルフでは、飛距離を稼ぐためのドライバーから、カップを直接狙うためのパターなど、様々な種類のゴルフクラブが使用されている。
【０００３】
ところで、ゴルフを行なう人は、スイングにある種の癖をもっている場合が多く、ある人は、ボールがスライスしたり、ある人は、ボールがフックしてしまうという特徴がある。このような打撃の癖は、その人にあったゴルフクラブがいつも提供されれば、それに慣れることはできるものの、規格品の中から自分にあった道具を見出すことは困難であるとともに、新たなゴルフクラブを購入した場合には、再びそれに慣れなければならない。
【０００４】
よって、あるゴルフクラブを用いて、何回、打っても同じ方向にボールが飛ぶようにするには、同じ力で振り抜いたときに、ゴルフヘッドの重心が自分の癖によるボールの飛ぶ方向と反対方向にずれていれば、飛ぶ方向を、いつも正しい方向に微調整して飛ばすことが可能になる。
これまで使用者は、スライス気味のボールを打つ人は、いつもスライスのボールとならないように、やや片寄った姿勢やフォームでボールを打つように打撃練習を行なっているのが一般的である。
【０００５】
ところが、使用者の勘、あるいはフォームに頼ってボールの飛ぶ方向をコントロールしようとしても、使用者の体調、使用器具によっては、いつも同じ方向にボールが飛ぶとは限らない。しかも、飛距離を確保しようと、フルスイングした場合などには、ボールが大きくコースアウトしてしまうこともあった。
このような問題を解決する方法としては、鉛テープ等によりゴルフクラブ自体の重心の位置を調整する方法が挙げられる。具体的には、ゴルフクラブの所望の位置にこの鉛テープを貼り、ゴルフクラブ自体の重心の位置を変化させ、癖のあるフォームを修正することなくボールの飛ぶ方向をコントロールしている。このようにすれば、使用者は自分の癖を気にすることなく、狙い通りにボールを飛ばすことができる。
【０００６】
【発明が解決しようとする課題】
しかしながら、鉛テープはゴルフクラブ表面に貼られているので、使用中に簡単にずれたり、また簡単に剥がれてしまうという問題があった。さらに、このように鉛テープがずれたり、剥がれてしまうと、再度鉛テープを貼る位置や重量を調整する必要があった。また、鉛テープはゴルフクラブ表面に貼られているので、見た目にも美しいといえるものではなかった。
【０００７】
本発明はこのような実状に鑑み、使用者のスイングの癖を修正するのに、本人の勘、フォームに頼らず、ゴルフクラブの重心の位置を若干調整可能とすることにより、ボールを所望とする方向に飛ばすことを可能にし、さらに美観的にも優れたゴルフクラブヘッドを提供することを目的としている。
【０００８】
【課題を解決するための手段】
上記目的を達成するための本発明に係るゴルフクラブヘッドは、
シャフトの先端に支持され、ボールを打撃するヘッド本体に、錘を収容するための凹部を設け、この凹部に選択的に錘を装填することにより、ヘッド本体の重心の位置を微調整しうるようにしたことを特徴とする。
【０００９】
係る構成による本発明によれば、クラブヘッドの重心位置をずらすことができるので、使う人の癖に合わせてボールの飛ぶ方向を制御することができる。
また、前記凹部は、前記ヘッド本体の打撃面の反対側から、打撃面に向かって略水平方向に形成されていることが好ましい。
さらに、前記凹部は、前記ヘッド本体の底面から上方に向かって形成されていることも望ましい。
【００１０】
またさらに、前記凹部は、前記ヘッド本体の少なくとも２ヶ所に形成されていることが望ましい。
前記凹部は、前記ヘッド本体の打撃面と略平行に形成されていることが好ましい。
このような構成であれば、必要に応じて重心位置をずらすことができる。
【００１１】
また、本発明に係るゴルフクラブヘッドは、上記のゴルフクラブヘッドの凹部の少なくとも１ケ所に、錘または、錘と錘の収容位置を調整する際に用いられる緩衝材とが装填され、さらに該装填された凹部が封止されていることを特徴とする。
係る構成による本発明によれば、クラブヘッドの重心位置が使う人の癖に合わせて所望の位置に調整されているので、ボールの飛ぶ方向を制御することができる。
【００１２】
前記錘は、金属製の錘であることが好ましく、また、金属粒子であることをも好ましい。さらに、前記金属は、鉛またはタングステンであることが望ましい。
このような構成であれば、重さの変更を容易に行なうことができるともに、錘の扱いが容易である。
前記緩衝材は、コルクであることが好ましい。このような構成であれば、錘を収容することによる音の発生を抑えることができる。
【００１３】
【発明の実施の形態】
以下、図面を参照しながら本発明の実施の形態（実施例）について説明する。なお、各図面において同一の部分を示す場合には、同一の符号を記す。
図１（Ａ）は、本発明のゴルフクラブヘッドの一実施例であるドライバーヘッドの概略斜視図、図１（Ｂ）は、ドライバーヘッドの概略背面図、図１（Ｃ）は、ドライバーヘッドの概略上面図である。
【００１４】
図１（Ａ）〜（Ｃ）に示したように、１は、全体でドライバーヘッドを示している。本発明のドライバーヘッド１（以下、単に「ヘッド１」ともいう）は、基本的には、ボールを直接打撃する打撃面１４、ヘッド１の上面であるクラウン部１２、ヘッド１の底面であるソール部１６、錘を収容するための凹部２０、シャフトを挿入する挿入孔３０を有している。ヘッド１は、通常、シャフト挿入孔３０を介してシャフト（図示しない）の先端に支持される。
【００１５】
この凹部２０は、ヘッド１の打撃面１４の反対側である背面１５から、打撃面１４に向かって略水平方向に形成されている。凹部２０は、ヘッド１のトゥＴ側に形成された第１凹部２２と、ヒールＨ側に形成された第２凹部２４との２つの凹部から構成され、これらの第１凹部２２と第２凹部２４は略平行に形成されている。
【００１６】
このような第１凹部２２、第２凹部２４に選択的に錘を装填することにより、クラブヘッドの重心位置を容易にずらすことができるので、使う人の癖に合わせてボールの飛ぶ方向を制御することができる。
なお、第１凹部２２、第２凹部２４の直径Ｓは、クラブヘッド１の重心位置を所望の位置に容易に調整することができるのであれば、特に限定されないが、６〜１０ｍｍ、その凹部２２，２４の長さは６０〜８０ｍｍであることが好ましい。さらに、これら第１凹部２２、第２凹部２４の直径は、相互に同一であっても異なっていても良いが、第１，２凹部の直径が同一であれば、重心位置の微調整が容易となるため好ましい。また、凹部２２，２４の長さＬは、第１，２凹部が相互に同一であっても異なっていても良い。
【００１７】
上記実施例においては、ヘッド１が凹部を２ケ所有する場合を例にとって説明するが、３ケ所以上有していてもよい。また、第１凹部２２、第２凹部２４の形状が長さ方向に同一の径である孔を例にして説明したが、開口端面に近づく程、開口面積が大きくなるテーパ状の孔であっても良い。また、上記実施例では、第１凹部２２と、第２凹部２４とが略平行に形成されているが、特に限定されるものではない。
【００１８】
このようなヘッド１の凹部２０の少なくとも１ケ所に、錘または、錘と錘の収容位置を調整する際に用いられる緩衝材とを装填し、さらに該装填された凹部を封止することにより重心が調整されたゴルフクラブヘッドが得られる。
ヘッド１の凹部２０に錘を装填する際、錘を緩衝材と共に装填することにより、錘の重量や、凹部２０内で錘が収容される位置を変化させ、ヘッド１の重心を微調整することが可能である。
【００１９】
このように、ヘッド１の凹部２０内に錘が装填され、さらに封止されることにより、ゴルフクラブ表面に錘を貼った場合のように、使用中に錘がずれたり、また剥がれ落ちてしまうといった問題がなく、さらに美観的にも優れたものを提供することができる。
この錘は、比較的比重が高いものであれば特に限定されないが、金属製の錘であることが好ましい。
【００２０】
金属製の錘の形状としては、板状、球状、砲弾状、粒状、粉状等が挙げられる。金属製の錘の形状が板状、球状、砲弾状であれば、ヘッド１の凹部２０に着脱自在に装填するのに好ましい。また、金属製の錘の形状が粉、粒子状であれば、凹部２０に装填する重さの微調整が容易である。
また、金属としては、鉛、タングステン、鉄、銅、銀、白金、チタン等が挙げられる。
【００２１】
本発明においては、鉛粉を用いた場合、ヘッド１の凹部１ケ所に２０ｇまで、タングステン粉を用いた場合、ヘッド１の凹部１ケ所に４０ｇまで装填することができるようにヘッド１の凹部が形成されていることが好ましい。
また、錘の収容位置を調整する際に用いられる緩衝材としては、コルク、発泡樹脂等が挙げられる。本発明においては、入手が容易であることからコルクを用いることが好ましい。また、このような緩衝材を、錘と共に装填することにより音の発生を抑えることもできる。
【００２２】
また、このような錘や緩衝材が装填された凹部を封止するには、特に限定されるものではないが、脱着可能に形成された金属製または樹脂製の蓋などを用いてもよく、硬化性樹脂などを注入して固化させても良い。
このようにしてヘッド１の凹部２０内に選択的に錘を装填することにより重心を変化させることが可能であるが、ヘッド１の重心を所望の位置に調整するには、具体的には、ヘッド１の重心深度、有効打点距離、重心距離を変化させることにより行うことができる。
【００２３】
ここで、重心深度ａとは、図２（Ａ）に示すように、打撃面１４とヘッド１の重心Ａとを垂直に結んだ距離である。重心深度ａが長くなると、打撃面１４のスイートスポットが広くなり、初心者であっても、ヘッド１の芯に容易に当てることが可能となる。
また、有効打点距離ｂとは、図２（Ｂ）に示すように、打撃面１４とヘッド１の重心Ａとを垂直に結んだ重心点Ｂから、打撃面１４の上端部までの距離である。有効打点距離ｂが長くなると、ヘッド１の重心が低くなるため、ボールが上がらず飛距離がでない人であっても、ボールを好ましい高さにまで上げることができ、結果として、容易に飛距離をだすことができる。
【００２４】
またさらに、重心距離ｃとは、図２（Ｂ）に示すように、シャフト３２の軸線と、ヘッド１の重心点Ｂとを垂直に結んだ距離である。重心距離ｃが長くなると、打ったボールは右方向に修正されるため、フック癖のある人には効果的である。一方、重心距離ｃが短くなると、打ったボールは左方向に修正されるため、スライス癖のある人には効果的である。
【００２５】
このようにヘッド１の重心深度、有効打点距離、重心距離を変化させるには、基本的には、以下のようにして行う。
図２に示されるヘッド１の重心深度の距離ａを長く（深く）するには、第２２凹部の背面１５側、または第２４凹部の背面１５側に錘を装填すればよい。
また、図２に示されるヘッド１の有効打点距離ｂを長くするには、第１凹部２２および／または第２凹部２４に錘を装填すればよい。
【００２６】
また、図２に示されるヘッド１の重心距離ｃを長くするには、第１凹部２２に錘を装填すればよい。一方、重心距離ｃを短くするには、第２凹部２４に錘を装填すればよい。
重心深度ａ、有効打点距離ｂ、重心距離ｃの長さの調節は、錘の重さ、凹部２０内に錘が配置される位置を調整することにより行うことができる。
【００２７】
以上、本発明の一実施例について説明したが、本発明は上記実施例に何ら限定されない。例えば、上記実施例では、凹部２０がヘッド１の打撃面１４の反対側の背面１５から、打撃面１４に向かって略水平方向に形成されている例を説明したが、これに代え、図３（Ａ）〜（Ｃ）に示すように、ドライバーヘッド本体の底面であるソール部１６から上方に向かって凹部４０が形成されていてもよい。
【００２８】
この凹部４０は、ドライバーヘッドのトゥＴ側からヒールＨ側にかけ形成され、第１凹部４２と、第２凹部４４との２つの凹部から構成されている。このような、第１凹部４２、第２凹部４４の他に、第３、第４の凹部を設けることもできる。
この実施例の場合においても、錘を選択的に装填することにより、重心の位置が所望の位置となるように調節することができる。
【００２９】
また、本発明のゴルフクラブヘッドの実施態様として、ドライバーヘッドを用いた例を示したが、アイアンヘッドの重心の位置を微調整することも可能である。
具体的には、図４に示すように、アイアンヘッドの打撃面５１と反対側のキャビティバック５２に、打撃面５１と略平行に凹部５４を設けることができる。この凹部５４は２ケ所以上形成されていてもよく、また貫通した形状であっても良い。
【００３０】
この凹部５４に、上述したように錘を装填することにより、重心アングルを変更することができる。重心アングルを大きくすることにより、打ったボールは左方向に修正されるため、スライス癖のある人には効果的である。一方、重心アングルを小さくすることにより、打ったボールは右方向に修正されるため、フック癖のある人には効果的である。
【００３１】
また、本発明のゴルフクラブヘッドの実施態様として、パターヘッドの重心の位置を微調整しうるような形状とすることも可能である。
具体的には、図５に示すように、パターヘッドの打撃面６１と反対側の背面６２に、打撃面６１と略平行な方向に凹部６４を設けることができる。この凹部は２ケ所以上形成されていてもよく、また貫通した形状であっても良い。
【００３２】
この凹部６４に、上述したように錘を装填することにより、重心アングルを変更することができる。重心アングルを大きくすることにより、打ったボールは左方向に修正され、重心アングルを小さくすることにより、打ったボールは右方向に修正される。
【００３３】
【発明の効果】
本発明によれば、ゴルフクラブヘッドは、錘を収容するための凹部を設け、この凹部に選択的に錘を装填することにより、ヘッド本体の重心の位置を微調整しうるような形状であるので、使う人の癖に合わせてボールの飛ぶ方向を制御することができる。
【００３４】
また、本発明によれば、重心が調整されたゴルフクラブヘッドは、上記のゴルフクラブヘッドの凹部の少なくとも１ケ所に、錘または、錘と錘の収容位置を調整する際に用いられる緩衝材とが装填され、さらに該装填された凹部が封止されており、クラブヘッドの重心位置が使う人の癖に合わせて所望の位置にずれているので、ボールを所望とする方向に飛ばすことを可能にし、さらに美観にも優れる。
【図面の簡単な説明】
【図１】図１（Ａ）は、本発明の実施例に係るドライバーヘッドの概略斜視図、図１（Ｂ）は、その概略背面図、図１（Ｃ）は、その概略上面図である。
【図２】図２（Ａ）、（Ｂ）は、図１に示したドライバーヘッドにおける重心深度、有効打点距離、重心距離をそれぞれ示した概略図である。
【図３】図３（Ａ）は、本発明のゴルフクラブヘッドの別の実施態様であるドライバーヘッドの概略斜視図、図３（Ｂ）は、ドライバーヘッドの概略背面図、図３（Ｃ）は、ドライバーヘッドの概略底面図である。
【図４】図４は、本発明のゴルフクラブヘッドの実施態様であるアイアンヘッドの概略図である。
【図５】図５は、本発明のゴルフクラブヘッドの実施態様であるパターヘッドの概略図である。
【符号の説明】
１                      ドライバーヘッド
１２                    クラウン部
１４、５１、６１        打撃面
１５、６２              背面
１６                    ソール部
２０、４０、５４、６４  凹部
２２、４２              第１凹部
２４、４４              第２凹部
３０                    挿入孔
３２                    シャフト
５２                    キャビティバック
Ｔ                      トゥ
Ｈ                      ヒール
Ａ                      重心
Ｂ                      重心点
ａ                      重心深度
ｂ                      有効打点距離
ｃ                      重心距離
【図１】
2004159680.tif 000003
【図２】
2004159680.tif 000004
【図３】
2004159680.tif 000005
【図４】
2004159680.tif 000006
【図５】
2004159680.tif 000007